(57)【要約】      （修正有）【課題】衛生的に使用することができると共に、不要な罫線のみを容易に消すことが可能な紙製記録媒体を提供する。【解決手段】紙製記録媒体を適用したノート１０は、複数枚のシート１１を重ねて、長さ方向略中央において幅方向に沿って接合することにより形成されており、ノート１０の一番表側には表紙が設けられ、一番裏側には裏表紙が設けられている。また、シート１１の両面には、ノート１０の幅方向に沿って一定の間隔ごとに、所定の長さの罫線１２が引かれており、本実施形態に係るノート１０においては、感温変色性組成物を含有する印刷用インキを用いて罫線１２が印刷されている。【選択図】図１
0003186708.tif 000002
【実用新案登録請求の範囲】
【請求項１】
感温変色性組成物を含有する印刷用インキを用いて罫線が印刷されたことを特徴とする紙製記録媒体。
【請求項２】
前記罫線は、表罫、中細罫、裏罫、四分罫、波罫、子持ち罫、ミシン罫、横罫又は縦罫であることを特徴とする請求項１に記載の紙製記録媒体。
【請求項３】
ノート、学習ノート、ルーズリーフ、方眼紙、帳票、便箋又はメモ帳であることを特徴とする請求項１又は２の何れか１項に記載の紙製記録媒体。
【考案の詳細な説明】
【技術分野】
【０００１】
本考案は、衛生的に使用することができると共に、不要な罫線のみを選択的且つ容易に消すことが可能な紙製記録媒体に関するものである。
【背景技術】
【０００２】
従来、この種の紙製記録媒体として、黒鉛を用いて罫線が引かれたノートが知られている（例えば、特許文献１参照）。
【０００３】
しかしながら、特許文献１に記載のノートにおいては、鉛筆やシャープペンシル等で記入した文字や図表等を消しゴムで消す際に、必要な罫線までも一緒に消えてしまい、罫線のみを消すことができないという問題があった。
【０００４】
また、罫線のみを消そうとすると、文字等を記入する前に予め罫線を消しておく必要があるので、作業が煩雑になるという問題があった。
【０００５】
また、罫線を消してしまうと、罫線に沿って文字等を記入することができないので、文字等を記入した箇所の規則性が失われて、書かれた内容が分かり難くなるという問題があった。
【０００６】
また、罫線を引く際に黒鉛を用いていることから、使用時に手や衣服等が汚れやすく衛生面に問題があるだけでなく、黒鉛に起因する汚れがノートの商品価値を低下させるという問題もあった。
【特許文献１】特開２００６−１１０９７５号公報
【考案の開示】
【考案が解決しようとする課題】
【０００７】
本考案は、上記従来技術の有する問題点に鑑みなされたものであり、その目的とするところは、衛生的に使用することができると共に、不要な罫線のみを容易に消すことが可能な紙製記録媒体を提供することにある。
【課題を解決するための手段】
【０００８】
本考案の上記課題は、下記の手段によって達成される。
【０００９】
請求項１に係る紙製記録媒体は、感温変色性組成物を含有する印刷用インキを用いて罫線が印刷されたことを特徴とし、請求項２に係る紙製記録媒体は、前記罫線は、表罫、中細罫、裏罫、四分罫、波罫、子持ち罫、ミシン罫、横罫又は縦罫であることを特徴とし、請求項３は、ノート、学習ノート、ルーズリーフ、方眼紙、帳票、便箋又はメモ帳であることを特徴とする。
【００１０】
従って、感温変色性組成物を含有する印刷用インキを用いて罫線が印刷されていることから、摩擦熱等によって前記印刷用インキの変色温度より高温になると、前記印刷用インキの色が透明な状態に保持される。
【考案の効果】
【００１１】
感温変色性組成物を含有する印刷用インキを用いて罫線が印刷されていることから、摩擦熱等によって前記印刷用インキの変色温度より高温になると、前記印刷用インキの色が透明な状態に保持されるので、前記印刷用インキを用いて印刷された罫線のみを選択的且つ容易に消して、その状態を保持することができる。
【００１２】
また、文字等を記入した後に、前記印刷用インキを用いて印刷された罫線のみを選択的に消すことができるので、文字等を記入した箇所の規則性を失うことはなく、書かれた内容の理解を妨げることは無い。
【００１３】
また、前記印刷用インキを用いているので、利用者の身体やノート等の紙製記録媒体に付着することはなく、衛生的に利用することができると共に、紙製記録媒体の商品価値を下げることは無い。
【図面の簡単な説明】
【００１４】
【図１】本考案に係る紙製記録媒体の実施の形態を示し、本考案に係る紙製記録媒体をノートに適用した場合を示す斜視図である。
【図２】本考案に係る紙製記録媒体の実施の形態を示し、本考案に係る紙製記録媒体を適用したノートの使用方法を示す図である。
【考案を実施するための最良の形態】
【００１５】
以下、本考案に係る紙製記録媒体に使用されるノートを実施の形態に基づき、図面を参照して詳細に説明する。なお、本考案の紙製記録媒体は、以下の実施形態（ノート）に限定されるものではなく、本考案の要旨を逸脱しない範囲内において種々変更を加え得ることは可能である。
【００１６】
図１に示すように、本考案に係る紙製記録媒体を適用したノート１０は、複数枚のシート１１を重ねて、長さ方向略中央において幅方向に沿って接合することにより形成されており、ノート１０の一番表側には表紙（図示せず）が設けられ、一番裏側には裏表紙（図示せず）が設けられている。
【００１７】
また、図１に示すように、シート１１の両面には、ノート１０の幅方向に沿って一定の間隔ごとに、所定の長さの罫線１２が引かれており、本実施形態に係るノート１０においては、感温変色性組成物を含有する印刷用インキを用いて罫線１２が印刷されている。
【００１８】
次に、本考案に係る紙製記録媒体を適用したノート１０の使用方法について説明する。
【００１９】
まず、図２に示すように、例えば、罫線１２を消すための専用消しゴム１３を用いて、文字等を一般的な消しゴムで消すのと同様にして、シート１１の消したい罫線１２を擦る。
【００２０】
本考案にあっては、感温変色性組成物を含有する印刷用インキを用いて罫線１２が印刷されていることから、上記専用消しゴム１３による摩擦熱によって前記印刷用インキの変色温度より高温になると、前記印刷用インキの色が透明な状態に保持されるので、前記印刷用インキを用いて印刷された罫線１２のみを選択的且つ容易に消して、その状態を保持することができる。
【００２１】
また、文字等を記入した後に、前記印刷用インキを用いて印刷された罫線１２のみを選択的に消すことができるので、文字等を記入した箇所の規則性を失うことはなく、書かれた内容の理解を妨げることは無い。
【００２２】
また、罫線１２のみを選択的に消すことができるので、例えば、罫線１２を消して図表等を見やすくしたりすることができると共に、罫線１２を消すことで、罫線１２に囚われずに自由に文字等を記入することができる。
【００２３】
また、前記印刷用インキを用いているので、利用者の身体やノート等の紙製記録媒体に付着することはなく、衛生的に利用することができると共に、紙製記録媒体の商品価値を下げることは無い。
【００２４】
なお、上述した実施形態に係る紙製記録媒体における感温変色性組成物を含有する印刷用インキは、感温変色性を有し、図２に示すような専用消しゴム１３等を用いて消すことができれば他の印刷インクを用いてもよく、それらを用いた場合であっても、本実施形態ともに上述した同様の作用及び効果を得ることが可能である。
【００２５】
また、上述した実施形態に係る紙製記録媒体においては、図１及び図２に示すような罫線１２を例に挙げて説明を行ったが、その形状の他、長さや太さ等については特に限定されず、例えば、表罫、中細罫、裏罫、四分罫、波罫、子持ち罫、ミシン罫、横罫、縦罫等の罫線であってもよく、それらが印刷された紙製記録媒体であっても、本実施形態ともに上述した同様の作用及び効果を得ることが可能である。
【００２６】
また、上述した実施形態に係る紙製記録媒体においては、図１及び図２に示すようなノート１０を例に挙げて説明したが、本考案を適用する紙製記録媒体の種別については特に限定されず、例えば、ノート、学習ノート、ルーズリーフ、方眼紙、帳票、便箋、メモ帳等であってもよく、それらが適用された場合であっても、本実施形態ともに上述した同様の作用及び効果を得ることが可能である。
【産業上の利用可能性】
【００２７】
本考案に係る紙製記録媒体は、前記印刷用インキを用いて印刷された罫線のみを選択的且つ容易に消して、その状態を保持することができ、また、文字等を記入した後に、前記印刷用インキを用いて印刷された罫線のみを選択的に消すことができるので、文字等を記入した箇所の規則性を失うことはなく、書かれた内容の理解を妨げることは無く、また、前記印刷用インキを用いているので、利用者の身体やノート等の紙製記録媒体に付着することはなく、衛生的に利用することができると共に、紙製記録媒体の商品価値を下げることは無いので、その結果、ノート、学習ノート、ルーズリーフ、方眼紙、帳票、便箋、メモ帳として極めて有用であることから、産業上の利用可能性を有している。
【符号の説明】
【００２８】
１０・・・ノート
１１・・・シート
１２・・・罫線
１３・・・専用消しゴム
【図１】
0003186708.tif 000003
【図２】
0003186708.tif 000004
【手続補正書】
【提出日】平成25年8月19日(2013.8.19)
【手続補正１】
【補正対象書類名】実用新案登録請求の範囲
【補正対象項目名】請求項１
【補正方法】変更
【補正の内容】
【請求項１】
重ねられた複数枚のシートが接合されて形成され、上記各シートの両面には幅方向に沿って一定間隔ごとに所定の長さの罫線が引かれた紙製記録媒体であって、上記罫線は、感温変色性組成物を含有する印刷用インキを用いて印刷されたことを特徴とする紙製記録媒体。
【手続補正２】
【補正対象書類名】明細書
【補正対象項目名】０００９
【補正方法】変更
【補正の内容】
【０００９】
請求項１に係る考案に係る紙製記録媒体は、重ねられた複数枚のシートが接合されて形成され、上記各シートの両面には幅方向に沿って一定間隔ごとに所定の長さの罫線が引かれた紙製記録媒体であって、上記罫線は、感温変色性組成物を含有する印刷用インキを用いて印刷されたことを特徴とする。請求項２に係る紙製記録媒体は、前記罫線は、表罫、中細罫、裏罫、四分罫、波罫、子持ち罫、ミシン罫、横罫又は縦罫であることを特徴とし、請求項３は、ノート、学習ノート、ルーズリーフ、方眼紙、帳票、便箋又はメモ帳であることを特徴とする。